(57)【要約】      （修正有）【課題】ファンの配置を工夫しファッション性等を改善した送風装置を提供する。【解決手段】首の周囲に装着され首の前側が開放された略Ｃ字形の本体部１と、この本体部１の左右両端部に配置されるファンと、ファンによる空気吸引部１１Ｒ及び空気吹出部１６と、を備えた送風装置であって、空気吸引部１１Ｒは首の表面に対面する位置に配置され、空気吹出部１６による吹出方向は空気吸引部１１Ｒの吸引面よりも上方に位置する首の表面に向くように配置されている。【選択図】図１
0003232049.tif 000002
【実用新案登録請求の範囲】
【請求項１】
首の周囲に装着され首の前側が開放された略Ｃ字形の本体部と、
この本体部の左右両端部に配置されるファンと、
前記ファンによる空気吸引部及び空気吹出部と、を備えた送風装置であって、
前記空気吸引部は首の表面に対面する位置に配置され、
前記空気吹出部による吹出方向は前記空気吸引部の吸引面よりも上方に位置する首の表面に向くように配置されていることを特徴とする送風装置。
【請求項２】
前記首の表面に対面する位置とは反対側の対面しない位置に第２空気吸引部が設けられ、かつ、この第２空気吸引部にカバーが設けられていることを特徴とする請求項１に記載の送風装置。
【請求項３】
前記空気吹出部は、首の周囲に沿って多数配置された吹出口により構成され、ファンに近い位置に配置された吹出口の開口面積が遠い位置に配置された吹出口の開口面積よりも大きくなるように設定されていることを特徴とする請求項１又は２に記載の送風装置。
【請求項４】
前記本体部は、首を取り囲むように形成された第１本体部と、前記ファンが設けられる第２本体部により構成され、前記第２本体部は前記第１本体部に対して折り曲げ可能に取り付けられていることを特徴とする請求項１〜３のいずれか１項に記載の送風装置。
【請求項５】
前記本体部の首の後側の表面に対面する位置にペルチェ素子による冷却面が設けられていることを特徴とする請求項１〜４のいずれか１項に記載の送風装置。
【請求項６】
前記ペルチェ素子の駆動による熱を放熱するための冷却ファンが設けられていることを特徴とする請求項５に記載の送風装置。
【請求項７】
前記ファン及び前記空気吹出部は、前記第２本体部のみに設けられていることを特徴とする請求項４に記載の送風装置。
【考案の詳細な説明】
【技術分野】
【０００１】
本考案は、首の周囲に装着され首の前側が開放された略Ｃ字形の本体部と、この本体部の左右両端部に配置されるファンと、前記ファンによる空気吸引部及び空気吹出部と、を備えた送風装置に関する。
【背景技術】
【０００２】
首の周りに装着される送風装置として、下記特許文献１，２に開示されるものがある。特許文献１に開示される送風装置（首掛け型機器）は、Ｃ字状の首掛け部の両端部に角度調節部を介して送風部（ファン）が設けられている。特許文献２に開示される首掛け型送風装置は、Ｃ字状の外被の両端部に給送気ユニットが設けられている。
【先行技術文献】
【特許文献】
【０００３】
【特許文献１】実用新案登録第３２２５３１８号
【特許文献２】実用新案登録第３２２０８１０号
【考案の概要】
【考案が解決しようとする課題】
【０００４】
特許文献１の送風装置は、首から離れた位置にファンがあり、冷却効果の点で問題がある。また、ファンが外観（前方）に大きく露出する構成であり、ファッション性にも問題がある。特許文献２の送風装置もファンが大きく前方に露出しており、ファッション性に問題がある。
本考案は上記実情に鑑みてなされたものであり、その課題は、ファンの配置を工夫しファッション性等を改善した送風装置を提供することである。
【課題を解決するための手段】
【０００５】
上記課題を解決するため本考案に係る送風装置は、
首の周囲に装着され首の前側が開放された略Ｃ字形の本体部と、
この本体部の左右両端部に配置されるファンと、
前記ファンによる空気吸引部及び空気吹出部と、を備えた送風装置であって、
前記空気吸引部は首の表面に対面する位置に配置され、
前記空気吹出部による吹出方向は前記空気吸引部の吸引面よりも上方に位置する首の表面に向くように配置されていることを特徴とするものである。
【０００６】
かかる構成による送風装置の作用・効果を説明する。この送風装置は、略Ｃ字形の本体部を有しており、首の周囲に装着されて使用される。ファンは本体部の左右両端部に設けられている。ファンの空気吸引部は、首の表面に対面する位置に配置されている。ファンの空気吹出部は、吸引面よりも上方に位置する首の表面に向くように配置されている。かかる配置により、首に装着したときにファンが外観に大きく露出することがない。その結果、ファッション性を改善することができる。
【０００７】
本考案において、前記首の表面に対面する位置とは反対側の対面しない位置に第２空気吸引部が設けられ、かつ、この第２空気吸引部にカバーが設けられていることが好ましい。
【０００８】
かかる構成により、空気の吸引量を充分に確保すると共に、カバーを設けることで第２空気吸引部の存在を外観に目立たないようにすることができる。
【０００９】
本考案に係る前記空気吹出部は、首の周囲に沿って多数配置された吹出口により構成され、ファンに近い位置に配置された吹出口の開口面積が遠い位置に配置された吹出口の開口面積よりも大きくなるように設定されていることが好ましい。
【００１０】
このように吹出口の開口面積を設定することで、首の周りへの送風を適切に行うことができる。
【００１１】
本考案に係る前記本体部は、首を取り囲むように形成された第１本体部と、前記ファンが設けられる第２本体部により構成され、前記第２本体部は前記第１本体部に対して折り曲げ可能に取り付けられていることが好ましい。
【００１２】
かかる構成により、送風装置を使用しないときは、コンパクトな形にすることができる。
【００１３】
本考案において、前記本体部の首の後側の表面に対面する位置にペルチェ素子による冷却面が設けられていることが好ましい。
【００１４】
ファンに加えてペルチェ素子を用いることで、冷却効果を高めることができる。
【００１５】
本考案において、前記ペルチェ素子の駆動による熱を放熱するための冷却ファンが設けられていることが好ましい。
【００１６】
かかる構成により、ペルチェ素子を適切に作動させることができ、快適に送風装置を使用することができる。
【００１７】
本考案に係る前記ファン及び前記空気吹出部は、前記第２本体部のみに設けられていることが好ましい。
【００１８】
かかる構成により、第２本体部を第１本体部に対して折り曲げる構成を実現しやすくなる。
【図面の簡単な説明】
【００１９】
【図１】第１実施形態に係る送風装置の外観斜視図
【図２】第１実施形態に係る送風装置の平面図
【図３】第１実施形態に係る送風装置の側面図
【図４】図３のＡ−Ａ断面
【図５】第１実施形態に係る送風装置の底面図
【図６】図３の側面図において一部ケース部材を除去した図
【図７】図２のＢ−Ｂ断面（一部ケース部材を除去）
【図８】第２実施形態に係る送風装置の外観斜視図
【図９】第２実施形態に係る送風装置の平面図
【図１０】第２実施形態に係る送風装置の底面図
【図１１】第２実施形態に係る送風装置を折り畳んだ状態の平面図
【図１２】第２実施形態に係る送風装置の背面図
【図１３】第２実施形態において、内側ケース部材を外した状態の外観斜視図
【図１４】第２実施形態において、内側ケース部材を外した状態の平面図
【図１５】第２実施形態において、外側ケース部材を外した状態の側面図
【考案を実施するための形態】
【００２０】
本考案に係る送風装置の好適な実施形態を図面を用いて説明する。第１実施形態と第２実施形態について順に説明する。
【００２１】
＜第１実施形態＞
図１は、第１実施形態に係る送風装置の外観斜視図である。図２は、平面図である。図３は、側面図である。
【００２２】
図１に示すように、送風装置は略Ｃ字形の本体部１を備えており、首の周囲に装着した状態で使用される。装着した状態で、本体部１の前側が開放された状態になる。本体部１は、複数のケース部材により構成されている。本体部１は、右内側ケース部材１０Ｒ、右外側ケース部材１３Ｒ、左内側ケース部材１０Ｌ、左外側ケース部材１３Ｌ、後内側ケース部材１２、後外側ケース部材１４により構成される。なお、ケース部材を何個で構成するか、どのような形状にするか、ケース部材同士の結合（ネジ、はめ込み、溶着など）をどのようにするかは、適宜決めることができる。
【００２３】
なお、符号の添字のＲは右を表し、Ｌは左を表すが、特に必要ない場合は添字は省略して説明する。また、右、左の呼称も時に必要のないときは表記を省略する。右内側ケース部材１０Ｒ、左内側ケース部材１０Ｌ、後内側ケース部材１２は、首の表面に向かい合う位置にある。
【００２４】
右内側ケース部材１０Ｒの表面及び左内側ケース部材１０Ｌの表面には、それぞれ空気吸引部１１Ｒ，１１Ｌが設けられており、吸引面は首の表面を向いている。空気吸引部１１の内部にはファン２（図６、図７参照）が設けられており、ファン２は、本体部１の左右両端部に配置される。
【００２５】
右内側ケース部材１０Ｒの表面、左内側ケース部材１０Ｌの表面、後内側ケース部材１２の表面には多数の空気吹出部１６が形成されている。空気吹出部１６は、長円形の開口部（吹出口）として形成されている。図２にも示すように、後内側ケース部材１２に形成された空気吹出部１６の大きさは同一であり、首の周囲に沿って等間隔に配列している。左右の内側ケース部材１０に形成された空気吹出部１６は、前方の方、すなわち、ファン２に近いほうが開口面積が大きくなるように設定されている。また、内側ケース部材１０は、ファン２が収容される部分は厚みが大きく、後部の方が薄くなるように設定されている。これにより、ファン２を収容して、首の表面に対して適切な量の送風を行うことができる。
【００２６】
図１等にも示すように、多数の空気吹出部１６が向いている方向（吹出方向）は、空気吸引部１１が向いている方向よりも上方である。
【００２７】
図５は、送風装置の底面図である。底面に操作スイッチ３が設けられており、これを押すことでファン２の駆動のオン／オフを行うことができる。
【００２８】
図４は、図３のＡ−Ａ断面図である。空気吸引部１１の内部にファン２が設けられている。本実施形態におけるファン２は、シロッコファンであるが、本考案としては特定の形式のファンに限定されるものではない。ファン２を挟んで空気吸引部１１の反対側にはカバー１５が設けられている。カバー１５は、首の表面には対面しない位置にある。カバー１５と外側ケース部材１３の間には隙間が形成され、この隙間を介して空気を吸引することができる。この隙間は第２空気吸引部として機能する。首に面した空気吸引部１１と合わせて、空気を吸引することができる。カバー１５を設けることで、ファン２の形状が外観に露出しないようにすることができ、ファッション性を高めることができる。
【００２９】
図６は、外側カバー部材１３Ｌを外した状態の側面図を示し、図７は、内側カバー部材１０Ｒを外した状態のＢ−Ｂ断面図（図２参照）を示す。本体部１の内部には、不図示の電池や制御回路等が設けられていると共に、空気吹出部１６へ空気を導く流路（空間部）も設けられている。電池は、充電可能な電池が好ましくは使用され、適宜の箇所に充電端子が設けられる。
【００３０】
＜第２実施形態＞
次に、第２実施形態に係る送風装置を説明する。図８は、第２実施形態に係る送風装置の外観斜視図である。図９は平面図である。図１０は底面図である。図１１は折り畳んだ状態を示す平面図である。図１２は背面図である。
【００３１】
なお、第１実施形態と同様に、符号の添字のＲは右を表し、Ｌは左を表すが、特に必要ない場合は添字は省略して説明する。また、右、左の呼称も時に必要のないときは表記を省略する。
【００３２】
図８に示すように、送風装置は略Ｃ字形の本体部１００を備えており、首の周囲に装着した状態で使用される。装着した状態で、本体部１００の前側が開放された状態になる。本体部１００は、第１本体部１０１と第２本体部１０２により構成される。第１本体部１０１と第２本体部１０２は、左右の両端部に位置しており、回転支軸１３０Ｒ，１３０Ｌの周りに回転可能に支持されている。図１１は、回転支軸１３０の周りに第２本体部１０２を回転させて折り畳んだ状態を示す。これにより、使用しないときはコンパクトにすることができる。
【００３３】
右側の第２本体部１０２は、右内側ケース部材１１０Ｒと右外側ケース部材１１３Ｒにより構成される。左側の第２本体部１０２は、左内側ケース部材１１０Ｌと左外側ケース部材１１３Ｌにより構成される。第１本体部１０１は、内側ケース部材１１１と外側ケース部材１１２により構成される。第１本体部１０１は、略Ｃ字形の外観を呈している。
【００３４】
前述の回転支軸１３０Ｒ，１３０Ｌは、それぞれ、内側ケース部材１１１と右内側ケース部材１１０Ｒ、内側ケース部材１１１と左内側ケース部材１１０Ｌを連結しており、首の表面に近い位置に設けられている。
【００３５】
内側ケース部材１１０，１１１は、首の表面に対面しており、図９にも示すように、連続した略Ｃ字状の曲面を構成する。外側ケース部材１１２，１１３も連続した略Ｃ字状の曲面を構成する。これにより、デザイン性を高めている。
【００３６】
図８に示すように、第２本体部１０２の内側ケース部材１１０には空気吸引部１２０が形成されており、首の表面に対面する位置にある。同じ内側ケース部材１１０には、空気吹出部１２１が形成されており、多数の開口部により形成されている。
【００３７】
図１３に示すように、第２本体部１０２の内部にはファン２００が設けられている。ファン２００は、シロッコファンであり、その配置形態に従って、空気吸引部１２０と空気吹出部１２１が配置されている。空気吸引部１２０は、首の表面に対面する位置に設けられているが、空気吹出部１２１は、空気吸引部１２０よりも上方に空気の吹出方向が設定されている。空気吸引部１２０と空気吹出部１２１は、第２本体部１０２のみに設けられている。
【００３８】
第１本体部１０１の内側ケース部材１１１にはペルチェ素子による冷却面４００が設けられている。冷却面４００は、ちょうど首の後側に位置している。すなわち、ファン２００による冷却とペルチェ素子による冷却の双方により、効果的に首の周囲を冷却できるようにしている。図１２の背面図に示すように、冷却面４００とは反対側に位置に開口部１２２が設けられている。開口部１２２の内側には冷却ファン４０１（図１５参照）が設けられており、ペルチェ素子を駆動するための電子回路等の発熱を冷ますようにしている。これにより、送風装置を快適に使用することができる。
【００３９】
図１０の底面図に示すように、第１本体部１０１の裏面には操作部５００が設けられている。操作部５００は、電源オン／オフのスイッチ等が設けられており、ファン２とペルチェ素子の動作を制御することができる。使用形態としては、ファンのみ、ペルチェ素子のみ、ファンとペルチェ素子の両方の使用を選択的に行うことができる。
【００４０】
図１３は、内側ケース部材１１０，１１１を外した状態の外観斜視図である。図１４は、内側ケース部材１１０，１１１を外した状態の平面図である。図１５は、外側ケース部材１１２，１１３Ｌを外した状態の側面図である。
【００４１】
図１４に示すように、駆動回路３００が設けられており、ファン２００やペルチェ素子の駆動制御を行う。左右に電池を収容する電池収容部３０１が設けられている。電池は、充電可能な電池であり、本体部１００の表面に設けられた端子を介して充電することができる。第２本体部１０２に配置されるファン２００に対しても電源供給する必要があるが、配線は回転支軸１３０を介して行われる。
【００４２】
＜別実施形態＞
空気吸引部及び空気吹出部の配置、個数、形状については、特定のものに限定されるものではなく、適宜決めることができる。
【符号の説明】
【００４３】
１        本体部
１０Ｒ，１０Ｌ      内側ケース部材
１１Ｒ，１１Ｌ      空気吸引部
１２      後内側ケース部材
１３Ｒ，１３Ｌ      外側ケース部材
１４      後外側ケース部材
１５      カバー
１６      空気吹出部
２        ファン
１００        本体部
１０１      第１本体部
１０２      第２本体部
１１０Ｒ，１１０Ｌ    内側ケース部材
１１１      内側ケース部材
１１２      外側ケース部材
１１３Ｒ，１１３Ｌ    外側ケース部材
１２０      空気吸引部
１２１      空気吹出部
２００      ファン
４００      冷却面
４０１      冷却ファン
５００      操作部
【図１】
0003232049.tif 000003
【図２】
0003232049.tif 000004
【図３】
0003232049.tif 000005
【図４】
0003232049.tif 000006
【図５】
0003232049.tif 000007
【図６】
0003232049.tif 000008
【図７】
0003232049.tif 000009
【図８】
0003232049.tif 000010
【図９】
0003232049.tif 000011
【図１０】
0003232049.tif 000012
【図１１】
0003232049.tif 000013
【図１２】
0003232049.tif 000014
【図１３】
0003232049.tif 000015
【図１４】
0003232049.tif 000016
【図１５】
0003232049.tif 000017